(57)【特許請求の範囲】
【請求項１】
４０−８５重量％のセッケンと０．１−１０重量％の非イオン性分枝状脂肪酸エトキシレート界面活性剤とから成り、前記非イオン性分枝状脂肪酸エトキシレート界面活性剤が７以下のＥＯ数を有することを特徴とする固形セッケン組成物。
【請求項２】
セッケンが５０重量％までのＣ８−Ｃ１４脂肪酸を含むことを特徴とする請求項１に記載の固形セッケン組成物。
【請求項３】
ＥＯ数が３−５の範囲であることを特徴とする請求項１または２に記載の固形セッケン組成物。
【請求項４】
更に、Ｃ２−Ｃ１２のジカルボン酸を含むことを特徴とする請求項１から３のいずれか一項に記載の固形セッケン組成物。
【請求項５】
非イオン性分枝状脂肪酸エトキシレート界面活性剤が１−５重量％のレベルで存在することを特徴とする請求項１から４のいずれか一項に記載の固形セッケン組成物。
【発明の詳細な説明】
【０００１】
本発明は、優れた官能特性及び使用特性を有している洗浄組成物に関する。
【０００２】
昔からセッケンは油脂を原料とし、油脂のトリグリセリド成分を脂肪酸塩に変換し、次いでこれらの“セッケン”を固形、液体、ゲルなどの種々の製品形態に形成することによって製造されている。しかしながら、脂肪酸セッケンは、硬水中で泡立ちがよくない、石灰質のセッケン滓（ｌｉｍｅ  ｓｏａｐ  ｃｕｒｄ）が形成される、固形製品が割れ易く脆い、官能特性がよくない、肌を荒らす、など及びその他の種々の欠点を有している。
【０００３】
これらの問題を解決するために幾つかの方法が提案された。英国特許ＧＢ９３１７３１は、硬水中で使用するときの石灰質のセッケン滓の形成を防止するために固形セッケン中にエトキシル化及びプロポキシル化アルカノールアミドのような非イオン性界面活性剤を使用することを開示している。
【０００４】
固形セッケン中の脂肪アルコールエトキシレート（例えば国際特許ＷＯ９３１７０８８または欧州特許ＥＰ３６３２１５）が石灰質のセッケン滓の形成を抑制し、従ってセッケン残渣の皮膚残留を防止することは公知であった。脂肪アルコールエトキシレートは固形セッケンの刺激性を緩和し、泡立ち増進、ぬめり防止などのように製品特性を改善する。
【０００５】
直鎖状または分枝状の脂肪酸エトキシレート（例えば、日本特許ＪＰ５９１７９５９９、ＪＰ０５１１７１３８またはＪＰ０７１７９３２２に記載）は、重鎖、化粧品に対して優れた洗浄力を与えること、泡立ちがよいこと、頭髪及び皮膚にコンディショニング効果を有することが知られている。これらの特許は、７よりも大きいエトキシル化度をもつ直鎖状または分枝状の脂肪酸エトキシレートを１０−６０重量％の添加レベルで含有する液体配合物を開示している。
【０００６】
セッケンの固有臭を隠蔽し官能特性を与えるために慣用の香料がセッケン配合物に添加される。セッケン中の香料の香りの強さは保存中に減少するので、最終ユーザーが感知できるのは製造時に添加された香料の初期の香りの一部分だけである。
【０００７】
我々は意外にも、ある種の分枝状非イオン性界面活性剤はセッケン配合物中に極めて低レベルで使用されると、種々の周囲条件下で配合物を長期間保存した後であっても香りの強さを改善することをここに知見した。また、硬水条件下の性能特性及び官能特性を改善し得る。
【０００８】
本発明の基本的な目的は、保存中に香料の強い香りを維持し同時に官能特性及び使用特性を改善する洗浄組成物を提供することである。
【０００９】
本発明の別の目的は、優れた官能特性及び使用特性を有しており製造が容易で費用効果的な洗浄組成物を提供することである。
【００１０】
従って本発明によれば、
ｉ．４０−８５％のセッケンと、
ｉｉ．０．１−１０％の分枝状非イオン性界面活性剤と、
ｉｉｉ．別の慣用成分と、
から成る洗浄組成物が提供される。
【００１１】
本発明の好ましい特徴によれば、
ｉ．４０−８５％のセッケンと、
ｉｉ．０．１−１０％の分枝状脂肪酸エトキシレートと、
ｉｉｉ．別の慣用成分と、
から成る洗浄組成物が提供される。
【００１２】
本発明のより好ましい特徴によれば、
ｉ．４０−８５％のセッケンと、
ｉｉ．７以下のＥＯ数を有している０．１−１０％の分枝状脂肪酸エトキシレートと、
ｉｉｉ．別の慣用成分と、
から成る洗浄組成物が提供される。
【００１３】
上記の本発明の洗浄組成物中では、セッケンの量が４０−８５重量％の範囲であり、該セッケンは本質的に５０重量％まで、より好ましくは２５重量％までのＣ８−Ｃ１４脂肪酸セッケンを含む。セッケンの残量は、パルミチン酸、ステアリン酸、オレイン酸及びリノレン酸などの脂肪酸から、最終セッケン組成物が０−６０、好ましくは３０−５０の範囲のヨウ素価を有するように選択される。
【００１４】
本発明の組成物中に使用される非イオン性界面活性剤は好ましくは、一般式ＲＣＯＯ（ＣＨ２ＣＨ２Ｏ）ｎＨ〔式中、ｎは１−７の範囲である〕の分枝状脂肪酸エトキシレートから選択される。好ましい脂肪酸はイソステアリン酸であり、好ましいエトキシル化レベルは３−５の範囲である。非イオン性界面活性剤は最終セッケン組成物で０．１−１０重量％、好ましくは１−５重量％のレベルとなる量で添加される。
【００１５】
ポリカルボン酸、アルキルスルフェートエトキシレートのような任意成分、脂肪酸のような超脂肪化剤、グリセリンのような湿潤化剤を性能改善の目的で添加し得る。充填剤、香料、乳白剤、保存剤、抗菌剤として慣用の別の成分を必要に応じて配合物に添加し得る。
【００１６】
任意成分として組成物中に存在するポリカルボン酸は一般には分枝状または直鎖状の脂肪族ポリカルボン酸である。ポリカルボン酸は好ましくは、Ｃ２−Ｃ１２のジカルボン酸、より好ましくはＣ２−Ｃ８のジカルボン酸である。
【００１７】
本発明の組成物の超脂肪化は、炭素原子数Ｃ６−Ｃ１８の脂肪酸のトリグリセリドのような超脂肪化剤の添加またはＣ６−Ｃ１８型の脂肪酸の添加によって得られる。超脂肪化はまた、セッケンにポリカルボン酸または無機酸を添加することによって得られる。
【００１８】
充填剤は０−４０％のレベルで添加され、水和ケイ酸マグネシウム、水和ケイ酸アルミニウムまたは他の任意の適当な材料から選択される。
【００１９】
香料は組成物の０．１−３％のレベルで製品に配合することによって使用され得る。
【００２０】
本発明を以下の非限定実施例によって説明する。
【００２１】
実施例：
表１に示す組成をもつ実施例１及び２（対照）並びに実施例３及び４（本発明）の種々のセッケン組成物を以下に記載の手順で固形化粧セッケンに製造した。
【００２２】
【表１】
0004537586.tif 000002
【００２３】
製造方法：
４８０ｋｇの純セッケンを収容タンクに入れ、噴霧乾燥して含水率約１４％のリボン状にし、慣用のシグマ形ミキサーに導入した。混合しながら種々の実施例について記載した他の特定成分を添加し、特定配合物を調製した。他の微量成分及び水を添加して混合し、混練し、棒状に圧出し、次いで打ち抜いた。
【００２４】
泡立ち／摩耗率指数：
軟水（フランス硬度４度）及び硬水（フランス硬度２４度）中の固形セッケンの泡立ちを構成員５人のパネルによって決定した。固形セッケンを少量の水と共に掌で約２０回転させ、発生した泡を測定ジャーに注ぎ、泡量をミリリットルで測定した。１５回のこのような測定の平均値を泡立ちの最終値として記録した。摩耗率は、自分用の固形洗剤を毎日１０回の摩擦で４日間使用した構成員５人のパネルによって決定した。４日間の終了後、各個のセッケンをぬめりがなくなるまで洗い、計量して最終重量を決定し、初期重量と最終重量との差を摩耗率として記録した。
【００２５】
泡量及び摩耗率に関する上記の情報を使用して決定される泡立ち／摩耗率（ＲＯＷ）指数はユーザー価値認識の指標となる。低い数値は、単位摩耗率あたりの泡立ちが少ないことを意味しており、１回の入浴あたりの消費者のセッケン使用量が多いことを示す。表２に示したデータは、この泡立ち／ＲＯＷ指数が３ＥＯまたは５ＥＯのイソステアリン酸の添加後に改善されており、対照製品及び非分枝状イソステアリン酸添加製品よりも優れていることを示す。
【００２６】
【表２】
0004537586.tif 000003
【００２７】
使用特性の改善：
対照固形セッケン及び３ＥＯの分枝状イソステアリン酸を２重量％の割合で含む本発明の固形セッケン（表３）について、泡量、摩耗率のような使用特性、使用後感触、使用中感触のような官能特性、保存中の泡立ち特性及び香りの強さを分析した。
【００２８】
【表３】
0004537586.tif 000004
【００２９】
摩耗率：
摩耗率は、各人用の固形洗剤を毎日１０回の摩擦で４日間使用した構成員５人のパネルによって決定した。４日間の終了後、各個のセッケンをぬめりがなくなるまで洗い、計量して最終重量を決定し、初期重量と最終重量との差を摩耗率として記録した。
【００３０】
泡立ち：
軟水（フランス硬度４度）及び硬水（フランス硬度２４度）中の固形セッケンの泡立ちを構成員５人のパネルによって決定した。固形セッケンを少量の水と共に掌で約２０回転させ、発生した泡を測定ジャーに注ぎ、泡量をミリリットルで測定した。１５回のこのような測定の平均値を泡立ちの最終値として記録した。
【００３１】
感触：
泡立ち、使用中の感触及び洗浄後の感触を定量的に評価する感触評価は社内パネルによって行い、１−５段階で定量的に表した。固形セッケンを湿らせてパネリストの前腕に塗り、上記のパラメーターに関して性能を観察した。
【００３２】
香りの強さ：
香りの強さは熟練の調香師から成るパネルによって１−１０段階で評価した。この評価は、最初及び２４週間の保存期間後に行った。
【００３３】
【表４】
0004537586.tif 000005
【００３４】
表４に示すデータは、本発明の配合物では摩耗率及びぬめり量が減少しているが、泡量は増加し、生じた泡はクリーム状であること、及び、使用中及び洗浄後の感触が優れていることを示す。香りの強さは保存によって次第に減少するが、本発明に従って製造された配合物では保存後であっても香りの強さがかなり維持されている。